(57)【要約】【課題】キャブオーバータイプの小型車においても乗降時の邪魔になったり、運転時の足元スペースが窮屈になったりすることがなく、また車両衝突時には容易に座屈変形することで運転者の脚部に作用する荷重を軽減できる自動車のアクセルベダル踏込み量規制構造を提供する。【課題を解決するための手段】ストッパ１０は、上壁部１０ａと該上壁部１０ａの両縁部に続いて下方に折り曲げられた一対の脚部１０ｂ，１０ｃとを有する山形状を有し、前記ペダルアーム９ａの下方に位置するように、かつ前記両脚部１０ｂ，１０ｃが車幅方向左，右に離れて位置するように配置固定されており、前記上壁部１０ａの車両前後方向後部に座面１０ｈが上方に膨出するように形成され、該座面１０ｈに前記ペダルアーム９ａの下縁が当接することでアクセルベダル９の踏込み量が規制される。【選択図】図２
2015199482.tif 000002
【特許請求の範囲】
【請求項１】
車体構成部材に揺動可能に支持されたペダルアームの後端部にペダル踏面を固定してなるアクセルペダルと、該アクセルベダルの踏込み量を規制するストッパとを備えた自動車のアクセルペダル踏込み量規制構造において、
前記ストッパは、上壁部と該上壁部の両縁部に続けて下方に折り曲げられた一対の脚部とを有する山形状を有し、前記ペダルアームの下方に位置するように、かつ前記両脚部が車幅方向左，右に離れて位置するように配置固定されており、
前記上壁部の車両前後方向後部に座面が上方に膨出するように形成され、
該座面に前記ペダルアームの下縁が当接することでアクセルベダルの踏込み量が規制される
ことを特徴とする自動車のアクセルペダル踏込み量規制構造。
【請求項２】
車体構成部材に揺動可能に支持されたペダルアームの後端部にペダル踏面を固定してなるアクセルペダルと、該アクセルベダルの踏込み量を規制するストッパとを備えた自動車のアクセルペダル踏込み量規制構造において、
前記ストッパは、上壁部と該上壁部の両縁部に続いて下方に折り曲げられた一対の脚部とを有する山形状を有し、前記ペダルアームの下方に位置するように、かつ前記両脚部が車幅方向左，右に離れて位置するように配置固定されており、
前記上壁部の、前記ペダルアームの揺動軌跡を挟んだ一側部分は他側部分に対して傾斜するよう形成され、該一側部分の、アクセルペダルの踏み込み方向となす角度は傾斜しない場合の角度より小さくなっており、
該一側部分と他側部分との境界付近に前記ペダルアームの下縁が当接することでアクセルベダルの踏込み量が規制される
ことを特徴とする自動車のアクセルペダル踏込み量規制構造。
【発明の詳細な説明】
【技術分野】
【０００１】
本発明は、自動車のアクセルペダルの踏込み量を規制するための構造に関し、詳細には車両衝突時に運転者の脚部に作用する荷重を軽減可能とする構造に関する。
【背景技術】
【０００２】
従来のアクセルペダル踏込み量規制構造として、例えば特許文献１に開示されたものがある。この従来構造では、アクセルペダルのペダルアームをダッシュボードに上下揺動可能に支持し、フロアの、前記ペダルアームの後端部に固定されたペダル踏面の下方部位に、車両側面視で山形をなす板金製のストッパを配置固定し、該ストッパの上面に前記ペダル踏面の裏面を当接させるように構成されている。この従来構造では、車両が衝突した場合は、乗員の脚部からアクセルペダルの踏面を介してストッパに作用する荷重が所定値以上になると該ストッパが座屈変形することで該荷重を吸収し、その結果運転者の脚部に作用する衝突時の荷重を軽減できるとされている。
【先行技術文献】
【特許文献】
【０００３】
【特許文献１】特開２００４−１９９１９９号公報
【発明の開示】
【発明が解決しようとする課題】
【０００４】
前記従来構造では、アクセルベダルのペダル踏面の下方にストッパを配設しているので、例えばキャブオーバータイプの小型車のように運転者の足元スペースを十分に確保困難な自動車においては、ストッパが邪魔になって乗降性が悪化すると共に運転時の足元スペースがさらに窮屈になることが懸念される。
【０００５】
一方、乗降性を確保できるように、前記従来構造において、ストッパをアクセルベダルのペダルアームの下方に配置した場合、ペダルアームがストッパの平面部に線当たり状態で当接することとなり、車両衝突時におけるストッパの座屈変形が困難となり、その結果、運転者の脚部に大きな荷重が作用するおそれがある。
【０００６】
本発明は、前記従来の状況に鑑みてなされたもので、キャブオーバータイプの小型車においても乗降時の邪魔になったり、運転時の足元スペースが窮屈になったりすることがなく、また車両衝突時には容易に座屈変形することで運転者の脚部に作用する荷重を軽減できる自動車のアクセルベダル踏込み量規制構造を提供することを課題としている。
【課題を解決するための手段】
【０００７】
請求項１の発明は、車体構成部材に揺動可能に支持されたペダルアームの後端部にペダル踏面を固定してなるアクセルペダルと、該アクセルペダルの踏込み量を規制するストッパとを備えた自動車のアクセルペダル踏込み量規制構造において、
前記ストッパは、上壁部と該上壁部の両縁部に続いて下方に折り曲げられた一対の脚部とを有する山形状を有し、前記ペダルアームの下方に位置するように、かつ前記両脚部が車幅方向左，右に離れて位置するように配置固定されており、
前記上壁部の車両前後方向後部に座面が上方に膨出するように形成され、該座面に前記ペダルアームの下縁が当接することでアクセルベダルの踏込み量が規制されることを特徴としている。
【０００８】
請求項２の発明は、車体構成部材に揺動可能に支持されたペダルアームの後端部にペダル踏面を固定してなるアクセルペダルと、該アクセルベダルの踏込み量を規制するストッパとを備えた自動車のアクセルペダル踏込み量規制構造において、
前記ストッパは、上壁部と該上壁部の両縁部に続いて下方に折り曲げられた一対の脚部とを有する山形状を有し、前記ペダルアームの下方に位置するように、かつ前記両脚部が車幅方向左，右に離れて位置するように配置固定されており、
前記上壁部の、前記ペダルアームの揺動軌跡を挟んだ一側部分は他側部分に対して傾斜するよう形成され、該一側部分の、アクセルペダルの踏み込み方向となす角度は傾斜しない場合の角度より小さくなっており、該一側部分と他側部分との境界付近に前記ペダルアームの下縁が当接することでアクセルベダルの踏込み量が規制されることを特徴としている。
【発明の効果】
【０００９】
本発明に係る自動車のアクセルペダル踏込み量規制構造によれば、
ストッパをペダルアームの下方に位置するように配置したので、ペダル踏面の下方に空間が形成されており、運転者の乗降時には前記空間を通るように足を移動させることによりストッパが邪魔になることはなく、ストッパを設けていながら乗降性が悪化するのを回避できる。
【００１０】
また、請求項１の発明では、ストッパを上壁部と左，右脚部からなる山形状に形成すると共に、左，右脚部が車幅方向に離れて位置するように、つまりストッパの解放部が車両前後方向を向くように配置し、さらに上壁部の後部に座面を形成し、これにペダルアームを当接させるようにした。そのため、車両衝突時にペダルアームから前記座面に大きな荷重が作用すると、前記両脚部の前側解放部が口開きするように座屈変形し、前記荷重を吸収でき、運転者の脚部に作用する荷重を軽減できる。
【００１１】
また、請求項２の発明では、ストッパを前記請求項１の発明と同様に、該ストッパの解放部が車両前後方向を向くように配置し、さらに前記上壁部の、前記ペダルアームの揺動軌跡を挟んだ一側部分を他側部分に対して、該アクセルペダルの踏み込み方向となす角度が小さくなるように傾斜させた。そのため、車両衝突時にペダルアームが上壁部に当接した際に該ペダルアームが横滑りするのを、前記一側部分が傾斜していることにより防止でき、これにより前記衝突時の荷重を前記上壁部に確実に作用させることができ、その結果、前記両脚部の前側解放部が口開きするように座屈変形することで前記荷重を吸収でき、かつ運転者の脚部に作用する荷重を軽減できる。
【図面の簡単な説明】
【００１２】
【図１】本発明の実施例１に係るアクセルペダル踏込み量規制構造を備えたキャブオーバータイプの小型トラクの側面図である。
【図２】前記構造の側面図である。
【図３】前記構造のストッパの平面図である。
【図４】前記ストッパの断面正面図（図３のIV-IV線断面図）である。
【図５】前記ストッパの前方から見た背面図(図3のV矢視図)である。
【図６】本発明の実施例２に係るアクセルセルペダル踏込み量規制構造の前方に見た正面図である。
【図７】前記アクセルペダル踏込み量規制構造の車両左側から見た側面図である。
【図８】前記構造のストッパの正面図である。
【図９】前記構造のストッパの断面図（図８のIX-IX線断面図）である。
【発明を実施するための形態】
【００１３】
以下、本発明の実施形態を添付図面に基づいて説明する。
【実施例１】
【００１４】
図１ないし図５は本発明の実施例１に係る自動車のアクセルペダル踏込み量規制構造を説明するための図である。
【００１５】
図において、１はキャブオーバータイプの小型トラックであり、該トラック１は、ラダータイプのフレーム２の前部上に搭載されたキャビン（車室）３と、該フレーム３の後部上に搭載された荷台４と、前記キャビン３の下方に位置するように前記フレーム２に搭載されたパワートレイン５とを有する。なお、６ａは前輪、６ｂは後輪である。
【００１６】
前記キャビン３は、フロアパネル３ａ，バックパネル３ｂ，サイドパネル３ｃ，３ｃ，フロントパネル３ｄ及びルーフパネル３ｅにより構成されている。前記左，右のサイドパネル３ｃには、左，右のドア開口３ｆが形成され、該ドア開口３ｆはドア３ｇで開閉される。
【００１７】
また前記フロアパネル３ａの後部にはシート載置部３ｈが高所に位置する段をなすように形成され、該シート載置部３ｈ上にシート３ｉが搭載されている。
【００１８】
さらにまた前記フロアパネル３ａの前端部にはダッシュボード３ｊが上方に立ち上がるように形成されている。該ダッシュボード３ｊの下端部には、前記フロアパネル３ａの前端部に続いて斜め上方に傾斜する傾斜壁３ｋが形成されている。
【００１９】
前記ダッシュボード３ｊの運転席側部分に電子スロットルタイプのアクセルペダル装置７が配設されている。このアクセルペダル装置７は、前記ダッシュボード３ｊに取付けられたアクセルペダルモジュール８と、運転者が足で踏み込むアクセルペダル９とを備えている。前記アクセルペダルモジュール８は、アクセルペダル９の踏込み量を内蔵する開度検出センサにより検出し、該検出した踏込み量をエンジンの燃料供給コントロール系に出力し、これによりエンジン回転速度がアクセルベダル踏込み量に応じた回転速度に制御される。
【００２０】
前記アクセルペダル９は、棒状部材からなり、前記アクセルペダルモジュール８により上下揺動可能に支持されペダルアーム９ａと、該ペダルアーム９ａの後端部に固定された平板状のペダル踏面９ｂとで構成されている。
【００２１】
そして本実施例のアクセルペダル装置７は、アクセルペダル９の最大踏込み量を所定値に規制するストッパ１０を備えている。このストッパ１０は、前記ペダルアーム９ａの前後方向中途部下方に配置され、前記ダッシュボード３ｊの下端部に形成された前記傾斜部３ｋ上にスタッドボルト１１及びナット１１ａにより締め付け固定されている。
【００２２】
前記ストッパ１０は、板金製のもので、平板状の上壁部１０ａと、該上壁部１０ａの左，右縁部に続けて下方に折り曲げられた左，右の脚部１０ｂ，１０ｃと、該各脚部１０ｂ，１０ｃの下端部に続けて車幅方向外方に折り曲げ形成された左，右のフランジ部１０ｄ，１０ｅを有する車両前後方向視山形状をなしている。なお、１０ｄ′，１０ｅ′は、前記傾斜部３ｋ上に固着されたスタッドボルト１１の頭部１１ｂの高さに応じて上方に膨出するように形成されたボルト座である。
【００２３】
ここで前記上壁部１０ａ及び左，右の脚部１０ｂ，１０ｃの前側の周縁部は、図５に示すように車両前方に解放される開口ａを形成しているのに対し、後の周縁部には、図３に示すように後壁１０ｆが一体形成されている。この後壁１０ｆにはスリット状の切欠き１０ｇが形成され、該切欠き１０ｇの左，右の縁部１０ｇ′，１０ｇ′は車両前方に折り曲げられている。
【００２４】
そして前記上壁部１０ａの車両前後方向後部寄りの部位に座面１０ｈが上方に台形状に膨出するように形成されている。この座面１０ｈ上に前記ペダルアーム９ａの中途部の下縁が当接することでアクセルベダル９の踏込み量が規制される。
【００２５】
本実施例に係る自動車のアクセルペダル踏込み量規制構造によれば、アクセルペダル９の下方にストッパ１０を設けたので、該アクセルペダル９のペダルアーム９ａがストッパ１０の座面１０ｈに当接することによりアクセルペダル９の最大踏込み量を所定値に規制でき、アクセルペダルモジュール８の開度検出センサの過剰踏込みによる損傷を回避できる。
【００２６】
また、前記ストッパ１０をペダルアーム９ａの中途部下方に位置するように配置したので、ペダル踏面９ｂの下方に空間Ｓが形成され（図２参照）、運転者が、乗降時につま先が前記空間Ｓを通るように脚部を移動させることにより、ストッパ１０が邪魔になるのを回避でき、ストッパ１０を追加的に設けていながらストッパ１０を設けていない場合と同等の乗降性を確保できると共に、運転時の足元スペースを確保できる。特に車両側方から見たときアクセルペダル９が、ペダル踏面９ｂがドア開口３ｆにラップするような位置関係をなすように配設される場合に有益である。
【００２７】
また、本実施例では、ストッパ１０を、上壁部１０ａと左，右脚部１０ｂ、１０ｃからなる山形状に形成すると共に、該左，右脚部１０ｂ，１０ｃが車幅方向に離れて位置するように、つまりストッパ１０の前側の開口ａが車両前方を向くように配置し、さらに上壁部１０ａの後部に座面１０ｈを膨出形成し、これにペダルアーム９ａを当接させるようにした。
【００２８】
車両衝突時に大きな衝撃力Ｆ１が作用すると、前記アクセルペダル９のペダル踏面９ｂに載置している運転者の足に大きな荷重が作用することとなるが、本実施例では前記ペダルアーム９ａから前記ストッパ１０の座面１０ｈに大きな荷重が作用すると、ストッパ１０は、前記両脚部１０ｂ，１０ｃの前側の開口ａ側が口開きするように座屈変形し、前記荷重を吸収でき、その結果、運転者の脚部に作用する荷重Ｆ２を軽減できる。なお、図２において、荷重Ｆ２は、ペダル踏面９ｂを押圧するように記載されているが、同じ荷重が反作用として運転者の脚部に作用することとなる。
【００２９】
また、本実施例では、前記上壁部１０ａ及び左，右の脚部１０ｂ，１０ｃの前側の周縁部は車両前方に解放される開口ａとなっているのに対し、後側の周縁部には後壁１０ｆが一体形成されているので、前記ストッパ１０に作用する荷重に対する後側部分の剛性が前側部分の剛性より高くなっており、この点からも前記荷重に対してストッパ１０前側部分が口開きし易くなっており、前記荷重をより確実に吸収でき、脚部に作用する荷重を削減できる。
【実施例２】
【００３０】
図６〜図９は本発明の実施例２に係るアクセルペダル踏み込み量規制構造を説明するための図であり、図中、図１〜図５と同一符号は同一又は相当部分を示す。
【００３１】
本実施例２は、車両衝突時にアクセルペダルに作用する大きな踏み込み力をストッパの上壁部に確実に伝達できるようにした例である。
【００３２】
図において、２７はアクセルペダル装置であり、該装置２７のアクセルペダル２９は、丸棒からなるペダルアーム３０と、該ペダルアーム３０の後端部に固定されたペダル踏面３１とを有する。前記ペダルアーム３０は前記ダッシュボード３ｊに取付けられたアクセルペダルモジュール２８に揺動可能に支持された支持部３０ａと、該支持部３０ａに続いて車幅方向斜め内側に延びる当接部３０ｂとを有し、該当接部３０ｂにはチューブ３０ｃが装着されている。
【００３３】
そして前記当接部３０ｂの下方にストッパ２０が配設されている。このストッパ２０は、ダッシュボード３ｊ側が高くなるように傾斜する傾斜壁３ｋ上に、後述する境界部Ｃの右縁が前方に位置するよう斜めに配設され、該傾斜壁３ｋにボルト締め固定されている。
【００３４】
前記ストッパ２０は、板金製のもので、上壁部２０ａと、左，右の脚部２０ｂ，２０ｃと、左，右のフランジ部２０ｄ，２０ｅとを有する車両前後方向視山形状をなしている。また、該ストッパ２０の車両前後方向前側部分は車両前方に解放されているのに対し、後側には、スリット状の切欠き２０ｇを有する後壁２０ｆが一体形成され、該切欠き２０ｇの左，右の縁部２０ｇ′，２０ｇ′は車両前方に折り曲げられている。このようにストッパ２０は、前記実施例１のストッパ１０と基本的に同様の構造を有する。
【００３５】
ここで、図９に示すように、前記ペダルアーム３０の当接部３０ｂの揺動軌跡Ａは、前記ペダル踏面３１に対する踏込み方向Ｂと交差するようになっている。そして前記上壁部２０ａは、前記ペダルアーム３０の当接部３０ｂの揺動軌跡Ａを挟んだ一側部分２０ｈと他側部分２０ｉとで構成されている。前記一側部分２０ｈは他側部分２０ｉに対して斜め上方に傾斜している。換言すれば、前記一側部分２０ｈは、該アクセルペダル２９の踏み込み方向Ｂとなす角度θが傾斜しない場合の一側部分２０ｈ′のなす角度θ′より小さくなるように傾斜しており、さらに換言すれば前記一側部分２０ｈは前記踏込み方向Ｂに対して略垂直となっている。このようにして前記一側部分２０ｈと他側部分２０ｉとの境界部分は、前記ペダルアーム３０の当接部３０ｂに略沿うように延びる谷形状の屈曲部Ｃとなっており、該屈曲部Ｃに前記支持部３０ｂの下縁が当接することで該アクセルベダル２９の踏込み量が規制される。
【００３６】
このように本実施例２では、  ストッパ２０の上壁部２０ａの、前記ペダルアーム３０の揺動軌跡Ａを挟んだ他側部分２０ｉに対して一側部分３０ｈを、該アクセルペダル２９の踏み込み方向Ｂとなす角度θが小さくなるように、換言すれば一側部分２０ｈと他側部分２０ｉが谷形状をなし、かつ該一側部分２０ｈが踏込み方向Ｂに対して略垂直となるように傾斜させた。そのため、車両衝突時にペダルアーム３０の当接部３０ｂが上壁部２０ａに当接した際に該当接部３０ｂが横滑りするのを、前記一側部分２０ｈと他側部分２０ｉが谷形状をなしていることにより防止できる。これにより前記衝突時の荷重を前記上壁部２０ａに確実に作用させることができ、その結果、前記両脚部２０ｂ，２０ｃの前側解放部が口開きするように座屈変形することで前記荷重を吸収でき、かつ運転者の脚部に作用する荷重を軽減できる。
【００３７】
なお、前記実施例１，２では、本発明をキャブオーバータイプのトラックに適用した場合を説明したが、本発明は、キャビン前方にエンジンルームを有する通常の自動車にも勿論適用可能である。
【符号の説明】
【００３８】
３ｊ  ダッシュボード（車体構成部材）
９  アクセルペダル
９ａ  ペダルアーム
９ｂ  ペダル踏面
１０  ストッパ
１０ａ  上壁部
１０ｂ，１０ｃ  一対の脚部
１０ｈ  座面
２０  ストッパ
２０ａ  上壁部
２０ｈ  一側部分
２０ｉ  他側部分
２９  アクセルペダル
２９ａ  ペダルアーム
２９ｂ  ペダル踏み面
Ａ  ペダルアームの揺動軌跡
Ｂ  アクセルペダルの踏み込み方向
Ｃ  境界部
θ  傾斜した一側部分と踏込み方向とがなす角度
θ′  傾斜しない場合の角度
【図１】
2015199482.tif 000003
【図２】
2015199482.tif 000004
【図３】
2015199482.tif 000005
【図４】
2015199482.tif 000006
【図５】
2015199482.tif 000007
【図６】
2015199482.tif 000008
【図７】
2015199482.tif 000009
【図８】
2015199482.tif 000010
【図９】
2015199482.tif 000011
【手続補正書】
【提出日】平成26年11月4日(2014.11.4)
【手続補正１】
【補正対象書類名】図面
【補正対象項目名】全図
【補正方法】変更
【補正の内容】
【図１】
2015199482.tif 000012
【図２】
2015199482.tif 000013
【図３】
2015199482.tif 000014
【図４】
2015199482.tif 000015
【図５】
2015199482.tif 000016
【図６】
2015199482.tif 000017
【図７】
2015199482.tif 000018
【図８】
2015199482.tif 000019
【図９】
2015199482.tif 000020